(57)【特許請求の範囲】
【請求項１】
容器体内に下端を垂下した状態で固定する吸い込み弁17付きのシリンダ２と、シリンダ上方に押し下げ可能且つ抜け出し不能に支持するとともに、下部に大径の補助シリンダ22を垂設した噴出ヘッド３と、シリンダ２に内嵌した小径ピストン31を外周下部より突設するとともに、外周上部より補助シリンダ22に内嵌する大径ピストン32を突設し、且つ、常時上方へ付勢されて先端テーパ部34が補助シリンダ頂板９中央の吐出弁孔25を圧接閉塞したプランジャ４とを備え、小径ピストン31により画成される第１加圧室Ａ内と、大径ピストン32により画成される第２加圧室Ｂ内とを、プランジャ４内を通過する液流路ａで連通し、噴出ヘッド３の押し下げの際に各シリンダの径差によりプランジャ４が補助シリンダ22に対して相対的に下降して吐出弁孔25を開口する如く構成した液体噴出ポンプに於いて、吸い込み弁17上方のシリンダ２内下部に、上下の液の流通が可能に且つ上下動可能に攪拌用ボール35を支持し、上記プランジャ４を、外周下部に上記小径ピストン31を突周設した円筒部41上に円柱状部42を延設し、且つ、円柱状部42先端に上記テーパ部34を延設した基材4aと、円筒部41上部外周からテーパ部34直下の円柱状部42外周に亘って嵌着固定させた円筒状をなし、且つ、外周上端部より上記大径ピストン32を突周設した外嵌材4bとから構成し、円筒部41の上端部から円柱状部42上端部に至る帯状凹部44を周方向相対向する位置に一対凹設するとともに、各帯状凹部44内と円筒部41内とを連通する連通孔45をそれぞれ穿設し、テーパ部34直下の円柱状部42に各帯状凹部44と連通するリング状凹部46を周設することにより、液流路ａの第２加圧室内への開口部分を全周に亘って開口してなることを特徴とする液体噴出ポンプ。
【請求項２】
上記攪拌用ボール35が、シリンダ２に嵌合させた筒部38の内面下部より底板39を延設するとともに、筒部38に底板上下を連通する切り溝40を周方向複数穿設してなる筒部材37を設け、該筒部材の底板39上に載置して上下動可能に支持した攪拌用ボール35である請求項１記載の液体噴出ポンプ。
【発明の詳細な説明】
【０００１】
【発明の属する技術分野】
本発明は液体噴出ポンプに関する。
【０００２】
【従来の技術】
液体噴出ポンプとして、容器体内に下端を垂下した状態で固定した吸い込み弁付きのシリンダと、シリンダ上方に押し下げ可能且つ抜け出し不能に支持するとともに、下部に大径の補助シリンダを垂設した噴出ヘッドと、シリンダに内嵌した小径ピストンを外周下部より突設するとともに、外周上部より補助シリンダに内嵌する大径ピストンを突設し、且つ、先端テーパ部が補助シリンダ頂板中央の吐出弁孔を圧接閉塞して上方付勢状態で押し下げ可能に設けたプランジャとを備えたものが知られている。
【０００３】
これらは、小径ピストンにより画成される第１加圧室内と、大径ピストンにより画成される第２加圧室内とを、プランジャ内を通過する液流路で連通し、噴出へッドの押し下げの際に各シリンダの径差によりプランジャが補助シリンダに対して相対的に下降して吐出弁孔を開口する如く構成したものである。
【０００４】
従来のポンプでは、一般に第１加圧室から第２加圧室への液流路をプランジャに前後一対形成し、それら各液流路は第２加圧室内へ前後それぞれ独立して小さく開口している。
【０００５】
【発明が解決しようとする課題】
これらポンプを使用して噴出する液の中に、近年非溶解性の微粒子を分散したものがある。これらの液を収納した容器体にポンプを装着して使用する場合、一般に粒子が重いため下方に沈殿し、均一な分散状態での噴出が行い難い。
【０００６】
従って、使用前に容器を必ず充分に振る等して液を攪拌しなければならないという面倒が伴うとともに、振りが足りないと充分に均一な分散状態とならない場合も多く、攪拌後も少し時間が立てば再び沈殿して均一な分散状態での噴出ができないという不都合がある。
【０００７】
本発明は上記した点に鑑み、上記の様な非溶解性の微粒子を分散した液を使用しても、常時略均一な分散状態での液の噴出を行えるとともに、従来のこの種ポンプの極一部の構造を変えるだけで容易に形成できる優れた液体噴出ポンプを提案するものである。
【０００８】
【課題を解決するための手段】
第１の手段として、以下の通り構成した。即ち、容器体内に下端を垂下した状態で固定する吸い込み弁17付きのシリンダ２と、シリンダ上方に押し下げ可能且つ抜け出し不能に支持するとともに、下部に大径の補助シリンダ22を垂設した噴出ヘッド３と、シリンダ２に内嵌した小径ピストン31を外周下部より突設するとともに、外周上部より補助シリンダ22に内嵌する大径ピストン32を突設し、且つ、常時上方へ付勢されて先端テーパ部34が補助シリンダ頂板９中央の吐出弁孔25を圧接閉塞したプランジャ４とを備え、小径ピストン31により画成される第１加圧室Ａ内と、大径ピストン32により画成される第２加圧室Ｂ内とを、プランジャ４内を通過する液流路ａで連通し、噴出ヘッド３の押し下げの際に各シリンダの径差によりプランジャ４が補助シリンダ22に対して相対的に下降して吐出弁孔25を開口する如く構成した液体噴出ポンプに於いて、吸い込み弁17上方のシリンダ２内下部に、上下の液の流通が可能に且つ上下動可能に攪拌用ボール35を支持し、上記プランジャ４を、外周下部に上記小径ピストン31を突周設した円筒部41上に円柱状部42を延設し、且つ、円柱状部42先端に上記テーパ部34を延設した基材4aと、円筒部41上部外周からテーパ部34直下の円柱状部42外周に亘って嵌着固定させた円筒状をなし、且つ、外周上端部より上記大径ピストン32を突周設した外嵌材4bとから構成し、円筒部41の上端部から円柱状部42上端部に至る帯状凹部44を周方向相対向する位置に一対凹設するとともに、各帯状凹部44内と円筒部41内とを連通する連通孔45をそれぞれ穿設し、テーパ部34直下の円柱状部42に各帯状凹部44と連通するリング状凹部46を周設することにより、液流路ａの第２加圧室内への開口部分を全周に亘って開口してなる。
【０００９】
第２の手段として、以下の通り構成した。即ち、前記第１の手段に於いて、上記攪拌用ボール35が、シリンダ２に嵌合させた筒部38の内面下部より底板39を延設するとともに、筒部38に底板上下を連通する切り溝40を周方向複数穿設してなる筒部材37を設け、該筒部材の底板39上に載置して上下動可能に支持した攪拌用ボール35である。
【００１０】
【発明の実施の形態】
以下、本発明の実施例の形態を図面を参照して説明する。
【００１１】
図１は本発明の一実施例を示すもので、図中１は液体噴出ポンプを示し、該ポンプは、シリンダ２と、噴出ヘッド３と、プランジャ４とを備えている。
【００１２】
シリンダ２は、容器体５内に下端を垂下した状態で固定しており、このシリンダ２の固定は、容器体口頚部６外周に嵌合させた装着キャップ７により行っている。装着キャップ７は、口頚部６外周に螺着させた周壁８上端縁より内方へフランジ状の頂板９を延設し、頂板内周縁部より噴出ヘッドの上下動を案内する案内筒10を、また、案内筒10外方の頂板上面からはキャップを嵌合させるための嵌合筒11を、それぞれ立設している。そして、装着キャップ７の頂板９下面にシリンダ２上端縁より延設したフランジ12を嵌着固定し、フランジ12を口頚部６上面と装着キャップ頂板９との間に挟持させて固定する。
【００１３】
また、底壁は下方へ縮まるテーパ状に形成してその中央に弁孔を開口し、また、底壁下面よりパイプ嵌合用の嵌合筒部13を垂設し、該筒部内に上端を嵌着させたパイプ14を容器体内下部に垂下させる。更に、テーパ状の底壁上面を弁座15に構成し、該弁座上に載置した玉状弁体16とで吸い込み弁17を構成している。
【００１４】
また、周壁上部には外気導入孔18を穿設するとともに、外気導入孔18外面を閉塞して外気を一方的に容器体内に導入する外気導入弁19を設けている。更に、外気導入孔18下方の周壁に透孔20を穿設するとともに、その下方のシリンダ２内面には液切れを良好ならしめるための凹部21を周設している。
【００１５】
噴出ヘッド３は、シリンダ２上方に押し下げ可能且つ抜け出し不能に支持するとともに、下部に大径の補助シリンダ22を垂設して構成している。
【００１６】
図示例では、案内筒10内周に外周を押し下げ可能に嵌合させるとともに、案内筒10内周上端に突設した係止突条23下面に、周壁外周下端部に突設した係合突条24を係合させて上方への抜け出し防止を図った補助シリンダ22を設けている。また、補助シリンダ22の頂板中央には吐出弁孔25を穿設するとともに、頂板上面中央に第１嵌合筒を、頂板上面周縁部に第２嵌合筒をそれぞれ立設している。そして、第１及び第２嵌合筒間に嵌合させた内筒26を頂壁27裏面中央より垂設するとともに、頂壁周縁部より垂設した周壁28下端を案内筒10と嵌合筒11との間に挿入可能に垂下し、更に、第１嵌合筒内より前面の噴出口29に連通する流出路30を内部に備えて噴出ヘッド３を構成している。
【００１７】
プランジャ４は、シリンダ２に内嵌した小径ピストン31を外周下部より突設するとともに、外周上部より補助シリンダ22に内嵌する大径ピストン32を突設し、また、コイルスプリング33により常時上方へ付勢されて先端テーパ部34が補助シリンダ頂板９中央の吐出弁孔25を圧接閉塞して押し下げ可能に設けている。
【００１８】
プランジャ４は、内部を通過して、小径ピストン31により画成される第１加圧室Ａ内と、大径ピストン32により画成される第２加圧室Ｂ内とを連通する液流路ａを備えており、噴出へッド３の押し下げの際に各シリンダの径差によりプランジャ４が補助シリンダ22に対して相対的に下降して吐出弁孔25を開口する如く構成している。
【００１９】
本発明では、この様なポンプに於いて、吸い込み弁17上方のシリンダ２内下部に上下の液の流通が可能に、且つ、上下動可能に攪拌用ボール35を設けている。この攪拌用ボール35を設けることにより、非溶解性の微粒子を分散した液を収納噴出する場合に、プランジャの上下動に伴い攪拌用ボールが上下動し、シリンダ２内下部に沈殿する微粒子を攪拌して均一な分散液を第２加圧室Ｂに移送できる如く構成している。シリンダ内の液の攪拌は通常の液噴出操作に於ける攪拌用ボール35の上下動で充分行えるが、更に確実に均一な分散状態を求めるために、ポンプを装着した容器体を使用前によく振っても良い。
【００２０】
図示例では、弁座15上方のテーパ部分内面に、周方向間隔をあけて板状突起36を複数突設し、その上方に嵌着固定した筒部材37を介して攪拌用ボール35を支持している。筒部材37は、シリンダ２に嵌合させた筒部38の内面下部より底板39を延設するとともに、筒部38に底板39上下を連通する切り溝40を周方向複数穿設している。そして、底板39上に攪拌用ボール35を上下動可能に載置している。本実施例の如くすることにより、攪拌用ボール35の上下動による微粒子の攪拌と、周囲の細い切り溝40からの液の浸入による微粒子の攪拌とでより良好な分散状態を得られる。
【００２１】
また、本発明では、第２加圧室Ｂ内下部に沈殿する微粒子を攪拌して均一な分散液を噴出口29より噴出するべく、液流路ａの第２加圧室Ｂ内への開口部分を全周に亘って開口している。図示例では、プランジャ４を２部材で構成しており、外周下部に小径ピストン31を突周設した円筒部41上に円柱状部42を延設するとともに、円柱状部42先端に上記テーパ部34を延設した基材4aと、円筒部41上部外周からテーパ部34直下の円柱状部42外周に亘って嵌着固定させた円筒状をなすとともに、外周上端部より大径ピストン32を突周設し、また、外周下端部からシール部43を突周設した外嵌材4bとから構成している。更に、基材4aの円筒部41の上端部から円柱状部42上端部に至る帯状凹部44を、周方向相対向する位置に一対凹設するとともに、円筒部41上端部に、各凹部内と円筒部41内とを連通する連通孔45をそれぞれ穿設し、また、テーパ部34直下の円柱状部42にリング状凹部46を周設しており、リング状凹部46を除くとともに、各帯状凹部44部分を被覆して外嵌材4bを嵌着固定することにより、液流路ａを構成している。
【００２２】
第２加圧室Ｂ内は一般に小容積のため、ポンプを装着した容器体を振ることによる微粒子の攪拌性は悪いが、反面、本発明の如き液流路ａの構成とすることにより、良好な分散性を得られる。
【００２３】
上記の如く構成したポンプ１を使用する当たっては、図１の状態から、要すれば容器体を良く振った後、噴出ヘッド３を押し下げることにより第１加圧室Ａ及びそれと連通する第２加圧室Ｂ内を加圧すると、各シリンダ２，22の径差によりプランジャ４が補助シリンダ22に対して相対的に下降し、吐出弁孔25が開いて加圧液が流出路30を介して噴出口29より噴出される。小径ピストン31がシリンダ２の凹部21に嵌合する位置まで下降すると、この凹部21から透孔20を介して第１加圧室Ａ内が減圧されて吐出弁孔25が閉じ、液の噴出が停止する。次いで、噴出ヘッド３の押圧を解除すると、コイルスプリング33の弾発力によりプランジャ４が上昇するとともに、吸い込み弁17が開いて容器体内の液をシリンダ２内に吸い上げる。
【００２４】
尚、上記実施例に於いて、各部材は主として合成樹脂により形成することができ、必要に応じて、エラストマー、金属等を併用して形成することができる。
【００２５】
【発明の効果】
以上説明した如く本発明液体噴出ポンプは、既述構成としたことにより、特に、吸い込み弁17上方のシリンダ２下部に、上下の液の流通が可能に且つ上下動可能に攪拌用ボール35を支持し、液流路ａの第２加圧室内への開口部分を全周に亘って開口したので、近年使用されている非溶解性の微粒子を分散させた液の噴出に使用した場合に、常時均一な微粒子の分散状態での液の噴出を行えるとともに、従来のこの種のポンプの極一部の構造を変えるだけで容易に形成できるものである。
【００２６】
また、第２の手段では、攪拌用ボールの上下動に加えて、周囲の各切り溝からの液の導入により微粒子の攪拌を行えるため、より良好に均一な分散液を第２加圧室に供給することができる利点を兼ね備えている。
【図面の簡単な説明】
【図１】本発明の一実施例を示す半断面図である。
【図２】同実施例のプランジャの先端部分を示す要部斜視図である。
【図３】図２のＸ−Ｘ線に於ける横断面図である。
【図４】図２のＹ−Ｙ線に於ける横断面図である。
【符号の説明】
２…シリンダ，３…噴出ヘッド，４…プランジャ，17…吸い込み弁，
22…補助シリンダ，25…吐出弁孔，31…小径ピストン，32…大径ピストン，
34…テーパ部，35…攪拌用ボール，37…筒部材，38…筒部，39…底板，
40…切り溝，Ａ…第１加圧室，Ｂ…第２加圧室，ａ…液流路
【図１】
0003874954.tif 000002
【図２】
0003874954.tif 000003
【図３】
0003874954.tif 000004
【図４】
0003874954.tif 000005